(57)【特許請求の範囲】
【請求項１】
携帯容器の蓋体であって、上面に収納凹部を形成し、該収納凹部を、上方と後方に開放させると共に、両側端縁を平行とした、幅広で浅い溝状に構成した蓋本体と、周端部を遮光性のある隠し部とした透明板体で構成され、前記収納凹部に対して、後方から摺動して着脱自在に、かつ上方へ抜け出し不能に装着される押さえ板と、そして前記収納凹部の底面に載置されて押さえ板で押圧保持される、写真等の表示シートと、から成る携帯容器の蓋体。
【請求項２】
収納凹部の両側端部を、メス側アリ溝構造のアリ溝側端部とすると共に、押さえ板の両側端縁を、前記アリ溝側端部に対して係合するオス側アリ溝構造のガイド側端縁とした請求項１に記載の携帯容器の蓋体。
【請求項３】
隠し部を、グラデーション塗装で形成した請求項１または２に記載の携帯容器の蓋体。
【請求項４】
隠し部を、転写で形成した請求項１または２に記載の携帯容器の蓋体。
【請求項５】
隠し部を、印刷で形成した請求項１または２に記載の携帯容器の蓋体。
【請求項６】
隠し部を、祖面加工で形成した請求項１または２に記載の携帯容器の蓋体。
【発明の詳細な説明】
【技術分野】
【０００１】
本発明は、コンパクト容器等の携帯容器の蓋体に関するものである。
【背景技術】
【０００２】
コンパクト容器等の携帯容器に対しては、容器表面に施された装飾に飽き足らなくなり、自分なりのカスタマイズを施したい、と云う要望が多い。
【０００３】
この要望に答える従来技術として、特許文献１に示されているように、携帯容器としてのコンパクト容器の蓋体を、基体と、この基体の上に載置され、立体的な模様が印刷されるホログラフ加飾シートと、このホログラフ加飾シートを覆って基体に固定される透明又は半透明の天面カバーとから構成したものがある。
【特許文献１】特開２００４−０６５３８６号公報
【０００４】
この特許文献１に示された従来技術にあっては、コンパクト容器の蓋体の表面に、透明な天面カバーを透して、ホログラフ加飾シートの立体的な模様が表示されるので、ホログラフ加飾シートの優れた装飾効果を得ることができる。
【０００５】
また、天面カバーと基体とを、互いに係合爪により係合する構成とし、天面カバーやホログラフ加飾シートを交換できる構成とし、これにより装飾を変更することもできるとしている。
【発明の開示】
【発明が解決しようとする課題】
【０００６】
しかしながら、上記した従来技術にあっては、得られる装飾表示は、メーカー側から与えられたホログラフ加飾シートで得られるものであるので、お仕着せのものとなり、必ずしも自分の好みに合うとは限らないことがあり、このことはホログラフ加飾シートを新しいものに交換した場合も同じである、と云う問題があった。
【０００７】
また、基体に対する天面カバーの着脱が、複数の係合爪の係合解除により達成するので、ホログラフ加飾シートもしくは天面カバー自体の交換作業が、きわめて面倒なものとなり、交換のための専用の部材を要することになる、と云う問題があった。
【０００８】
さらに、天面カバーは、その全体が透明または半透明であるので、装飾体としてのホログラフ加飾シートは、その全体が観察されることになり、このためセットされたホログラフ加飾シートの、装飾効果を発揮し得ない周端面を含む周端部も観察されることになり、これによる装飾効果が低下する恐れがある、と云う問題があった。
【０００９】
そこで、本発明は、上記した従来技術における問題点を解消すべく創案されたもので、所望する表示シートを簡単に装飾シートとしてセットできるようにすることを技術的課題とし、もって携帯容器に対する、自分なりのカスタマイズを可能とすることを目的とする。
【課題を解決するための手段】
【００１０】
本発明による携帯容器の蓋体は、上面に収納凹部を形成した蓋本体と、この蓋本体の収納凹部に着脱自在に組付けられる透明（半透明も含む）な押さえ板と、蓋本体の収納凹部にセットされる表示シートとから構成されている。
【００１１】
蓋本体の上面に形成された収納凹部は、上方と後方に開放していると共に、その両側端縁を平行にした、幅広で浅い溝状に構成されている。
【００１２】
押さえ板は、平坦な透明板体で構成され、周端部を、周端から中央に向って徐々に遮光性を弱めるグラデーション調や、全体に高い遮光性を有する枠状の隠し部に成形し、蓋本体の収納凹部に対して、後方から摺動して着脱自在に、かつ上方へ抜け出し不能に装着されるものとなっている。
【００１３】
表示シートは、写真、プリクラ、さらにはシール等であって、蓋本体の収納凹部の底面上に、押さえ板により不動に押圧保持される。
【００１４】
この表示シートは、使用者が自分好みに製作するものであるが、その製作に際しては、蓋本体の収納凹部の大きさおよび形状に合せて、正確にカットする必要はなく、周端部が押さえ板の隠し部の範囲内に位置する大きさにすれば、表示シートの周端縁が、不体裁な部分として視認されることがない。
【００１５】
表示シートのセットは、適当にカットした表示シートを収納凹部の底面の略中央に載置した状態で、押さえ板を、セットされた表示シートを変位させないように、収納凹部に摺動させながら挿入組付けして達成される。
【００１６】
すなわち、押さえ板を蓋本体に挿入組付けした状態では、表示シートは、押さえ板により収納凹部の底面上に押付け固定され、これにより蓋本体の収納凹部に不動に組付け保持されることになる。
【００１７】
なお、押さえ板と蓋本体との間には、アンダーカット結合等を利用して簡単な係止機能部を設けることにより、押さえ板の収納凹部からの妄りな抜け出しが起きないようにしていることは、云うまでもない。
【００１８】
本発明の別の構成は、収納凹部の両側端部を、メス側アリ溝構造のアリ溝側端部とすると共に、押さえ板の両側端縁を、アリ溝側端部に対して係合するオス側アリ溝構造のガイド側端縁とした、ものである。
【００１９】
蓋本体の収納凹部の両側端部を、メス側アリ溝構造のアリ溝側端部に構成すると共に、押さえ板の両側端縁を、オス側アリ溝構造のガイド側端縁に構成したものにあっては、蓋本体の収納凹部に対する押さえ板の、摺動しての着脱と、上方への抜け出し防止とを、簡単に得ることができると共に、収納凹部に対する押さえ板の着脱を簡単に行うことができる。
【００２０】
また、本発明の別の構成は、隠し部を、グラデーション塗装で形成した、ものである。
【００２１】
隠し部を、グラデーション塗装で形成したものにあっては、グラデーション塗装そのものが特有の装飾効果を発揮すると共に、表示シートの表示効果を高めることができる。
【００２２】
また、本発明の別の構成は、隠し部を、転写で形成した、ものである。
【００２３】
隠し部を、転写で形成したものにあっては、隠し部を正確に規格化して形成するのが容易である。
【００２４】
また、本発明の別の構成は、隠し部を、印刷で形成した、ものである。
【００２５】
隠し部を、印刷で形成したものにあっては、変化のある隠し部を、簡単に得ることができる。
【００２６】
また、本発明の別の構成は、隠し部を、祖面加工で形成した、ものである。
【００２７】
隠し部を、祖面加工で形成したものにあっては、構造的に強い隠し部を得ることができる。
【発明の効果】
【００２８】
本発明は、上記した構成となっているので、以下に示す効果を奏する。
本発明にあっては、自分が選択したものを表示できるので、自分なりのカスタマイズな表示が可能であり、個性豊かな表示を得ることができる。
【００２９】
また、利用される表示シートは、写真、プリクラ、さらにはシール等のシート状のものであれば、どのようなものでも良いので、装飾を目的とした表示に限ることなく、自分好みの表示として利便性を得ることができる。
【００３０】
さらに、表示シートの製作は、収納凹部よりもわずかに小さい、と云うアバウトな寸法設定で良いので、きわめて容易である。
【００３１】
そして、表示シートのセッティングは、押さえ板を蓋本体の収納凹部に組付けるだけで達成されるので、表示シートの変更などの取扱いが、容易で簡単に行うことができる。
【００３２】
蓋本体の収納凹部の両側端部を、メス側アリ溝構造のアリ溝側端部に構成すると共に、押さえ板の両側端縁を、オス側アリ溝構造のガイド側端縁に構成したものにあっては、蓋本体と押さえ板との着脱機能の構成、および着脱操作を簡単なものとすることができ、これにより全体構成の簡単化と使用のし易さとを得ることができる。
【００３３】
隠し部を、グラデーション塗装で形成したものにあっては、グラデーション塗装そのものが特有の装飾効果を発揮すると共に、表示シートの表示効果を高めることができるので、表示シートによる高い装飾効果を得ることができる。
【００３４】
隠し部を、転写で形成したものにあっては、隠し部を正確に規格化して形成するのが容易であるので、隠し部の形状そのものを装飾の一部分とする場合には、きわめて有効である。
【００３５】
隠し部を、印刷で形成したものにあっては、変化のある隠し部を、簡単に得ることができるので、隠し部の形状そのものを装飾の一部分とする場合には、きわめて有効である。
【００３６】
隠し部を、祖面加工で形成したものにあっては、構造的に強い隠し部を得ることができるので、頻繁に表示シートを交換しても、長期間に亘って安定した隠し機能を発揮することができる。
【発明を実施するための最良の形態】
【００３７】
以下、本発明の実施形態例を、図１〜図６を参照しながら説明する。
【００３８】
図示した実施形態例における携帯容器１は、コンパクト容器であって、容器本体１１と、この容器本体１１と後端部間で蝶番結合された蓋本体２と、蓋本体２に形成された収納凹部３に着脱自在に組付けられる透明な押さえ板７と、この押さえ板７により収納凹部３の底面に、不動に押圧保持される表示シート１０とから構成されている。
【００３９】
容器本体１１は、内部に化粧料を収納する収納室１２（図６参照）を形成し、後端に蝶番突片１４（図５参照）を、また先端に開放ボタン１３（図４参照）を設けた、四角い薄箱状をしている。
【００４０】
蓋本体２は、内面である下面に鏡５（図６参照）を取付け、上面に収納凹部３（図１および図６参照）を形成し、後端に、容器本体１１の蝶番突片１４と蝶番軸１５（図３参照）により蝶番結合される蝶番片６（図５参照）を垂下状に設けた板体状をしており、その先端に設けた係止片（図示省略）を、容器本体１１の先端に設けた係止片（図示省略）に係止することにより、「閉」姿勢を保持し、容器本体１１の開放ボタン１３の操作により、この係止を解除して、開放されるものとなっている。
【００４１】
この蓋本体２における収納凹部３は、幅広で浅く、前後に延びて、上方と後方に開放したメス側アリ溝構造（図１および図６参照）となっていて、その前後方向に延びた両側端部は、開放側に縮幅した傾斜側面を有する、平行なアリ溝側端部４となっている。
【００４２】
押さえ板７は、透明な長方形平板で構成（図１および図２参照）され、その長手辺である両側端縁である両ガイド側端縁９（図１および図６参照）は、収納凹部３の両アリ溝側端部４に係合すべく、その側端面を、上方に縮幅する傾斜面として、オス側アリ溝構造に成形されている。
【００４３】
そして、押さえ板７の周端部には、遮光性を有する隠し部８（図１および図２参照）が形成されていて、収納凹部３内にセットされた表示シート１０の周端部を、外部から見えないように隠す。
【００４４】
この隠し部８は、その成形手段が特定されるものではないが、グラデーション塗装で成形した場合には、遮光効果の濃淡変化により、表示される部分が浮き上がって立体感のある表示が得られ、転写や印刷で成形した場合には、隠し部８そのものを装飾の一部として機能させることが容易であり、粗面加工で成形した場合には、表示の周囲を淡くぼやけたものとすることができるので、幻想的で落ち着いた表示を得ることができる。
【００４５】
この押さえ板７は、収納凹部３に対して摺動して着脱可能に組付けられるのであるが、この押さえ板７の収納凹部３に対する組付きを維持するために、図示省略したが、蓋本体２と押さえ板７との間に、簡易なアンダーカット結合機能部を形成するのが良い。
【００４６】
表示シート１０（図１および図６参照）は、写真、プリクラ、さらにはシール等の薄いシート片であり、収納凹部３内に収納できる、アバウトな大きさにカットされて成形されている。
【００４７】
このように、表示シール１０をアバウトにカットして成形しても、隠し部８の作用により、表示シート１０を不都合なく表示することができるので、表示シート１０として利用することのできるものの範囲が広いと共に、その利用を簡単に行うことができる。
【００４８】
この表示シート１０による表示は、装飾や、種々の写真による家族やペットの表示に特定されることはなく、例えばメモ用紙等を利用して、予定表や覚書などを表示するようにしても良い。
【００４９】
また、表示シート１０の着脱は、蓋本体２に対する押さえ板７の簡単な着脱により、容易に行うことができるので、特に、その日の予定を表示した表示シート１０を使用する場合は、便利である。
【図面の簡単な説明】
【００５０】
【図１】本発明の第一の実施形態例を示す、全体分解外観斜視図である。
【図２】図１に示した実施形態例の、全体平面図である。
【図３】図１に示した実施形態例の、全体側面図である。
【図４】図１に示した実施形態例の、全体正面図である。
【図５】図１に示した実施形態例の、全体背面図である。
【図６】図３中Ａ−Ａ線に沿って切断矢視した、縦断面図である。
【符号の説明】
【００５１】
１  ；携帯容器
２  ；蓋本体
３  ；収納凹部
４  ；アリ溝側端部
５  ；鏡
６  ；蝶番片
７  ；押さえ板
８  ；隠し部
９  ；ガイド側端縁
１０；表示シート
１１；容器本体
１２；収納室
１３；開放ボタン
１４；蝶番突片
１５；蝶番軸
【図１】
0005142105.tif 000002
【図２】
0005142105.tif 000003
【図３】
0005142105.tif 000004
【図４】
0005142105.tif 000005
【図５】
0005142105.tif 000006
【図６】
0005142105.tif 000007